(57)【要約】【課題】  引き戸を所定の位置において直線的にガイドするが、引き戸を開いたときに、その開放部分に敷居を含む段差や溝が存在しないようにした引き戸のガイド機構を提供する。【解決手段】  引き戸１，２の移動方向に向けた複数の平行な立壁部６ａを、間隔を置いて連結部６ｂで連結してなるガイド駒６の多数を、立壁部先端側が凹に屈曲可能にして相互に連接し、引き戸ガイド４を構成する。この引き戸ガイドにおける各ガイド駒の立壁部上縁をガイド条８Ａとして、該ガイド条に引き戸を載置し、引き戸の移動によって生じる開放部分に該引き戸ガイドが現出しないようにして、該引き戸ガイドを床面に固定すると共に、該引き戸ガイドの端部を上方に屈曲させて上記引き戸内に導入する。【選択図】      図１
2005155260.tif 000002
【特許請求の範囲】
【請求項１】
引き戸の移動方向に向けた単数または複数の立壁部を有するガイド駒の多数を、立壁部先端側が凹に屈曲可能で、水平面内での屈曲を不能にして相互に連接することにより、引き戸ガイドを構成し、
上記引き戸ガイドにおける各ガイド駒の立壁部上縁または立壁部間を直線的に伸びる溝部をガイド条として、該ガイド条に引き戸を載置し、
引き戸の移動によって生じる開放部分に該引き戸ガイドが現出しないことを前提として、該引き戸ガイドの一部を引き戸自体またはその移動路の床面に固定すると共に、該引き戸ガイドの少なくとも一端部を上方に屈曲させて、上記引き戸または引き戸枠内に導入した、
ことを特徴とする引き戸のガイド機構。
【請求項２】
多数のガイド駒を、それらの立壁部の先端部に沿って設けた通孔にワイヤー部材を挿通することにより、立壁部先端側が凹に屈曲可能にして相互に連接し、且つ隣接するガイド駒の連接面が相互に当接して、他の方向への屈曲を抑制するようにして、上記引き戸ガイドを構成した、
ことを特徴とする請求項１に記載の引き戸のガイド機構。
【請求項３】
複数の立壁部を間隔を置いて連結部で連結してなるガイド駒の多数を、該連結部においてそれらに挿通したベルト状部材で回転自在に連結することにより上記引き戸ガイドを構成した、
ことを特徴とする請求項１に記載の引き戸のガイド機構。
【請求項４】
多数のガイド駒を、その立壁部と直交する軸線の周りにおいて回転自在に連結することにより上記引き戸ガイドを構成した、
ことを特徴とする請求項１に記載の引き戸のガイド機構。
【請求項５】
上記引き戸ガイドにおける各ガイド駒の立壁部上縁をガイド条とし、該ガイド条に引き戸を載置してガイドさせた、
ことを特徴とする請求項１乃至４のいずれかに記載の引き戸のガイド機構。
【請求項６】
単一の引き戸ガイドにおける複数のガイド条のそれぞれに引き戸を載置してガイドさせた、
ことを特徴とする請求項５に記載の引き戸のガイド機構。
【請求項７】
上記引き戸ガイドにおける各ガイド駒の隣接する一対の立壁部をガイド条とし、該ガイド条に引き戸を跨乗させてガイドさせた、
ことを特徴とする請求項１乃至４のいずれかに記載の引き戸のガイド機構。
【請求項８】
上記引き戸ガイドにおける各ガイド駒の立壁部間の溝部をガイド条とし、該ガイド条に引き戸を載置してガイドさせた、
ことを特徴とする請求項１乃至４のいずれかに記載の引き戸のガイド機構。
【請求項９】
複数枚の引き戸について、それらの引き戸の移動位置に拘わらず常に少なくとも一つの引き戸が存在する範囲内の移動路において、引き戸ガイドを床面に固定し、
該引き戸ガイドの少なくとも一端部を上方に屈曲させて引き戸内に導入した、
ことを特徴とする請求項５乃至７のいずれかに記載の引き戸のガイド機構。
【請求項１０】
上方に屈曲させて引き戸内に導入した引き戸ガイドの該導入端に、該引き戸ガイドとは逆の方向に屈曲自在とした上部ガイドを付設し、該上部ガイドの引き戸上端からの導出部分を建物開口部の鴨居に沿わせて、その先端を引き戸枠に固定した、
ことを特徴とする請求項９に記載の引き戸のガイド機構。
【請求項１１】
建物開口部の一方の側枠側のみを開閉する複数枚の引き戸を備え、これらの引き戸を単一の引き戸ガイドに載置して、上記一方の側枠側に移動して該側枠に当接する引き戸における該当接端側に、上記引き戸ガイドの一端を固定し、該引き戸ガイドの他端を上方に屈曲させて閉鎖側の側枠に導入した、
ことを特徴とする請求項５乃至８のいずれかに記載の引き戸のガイド機構。
【発明の詳細な説明】
【技術分野】
【０００１】
本発明は、引き戸のガイド機構に関するものであり、更に詳しくは、引き戸の開放時に該引き戸の下方からその開放部分に引き戸ガイドが導出されないようにした引き戸のガイド機構に関するものである。
【背景技術】
【０００２】
通常、戸障子等の引違い戸は、床面上の敷居やレールに沿って移動するようにしているが、この敷居やレールが若干の高さを有しているため、車椅子の走行の障害になるばかりでなく、歩行者の躓きの原因になり、バリヤフリーの観点からその高さの低減あるいは撤去が望まれている。また、床面上の戸障子に限らず、各種家具等を含めた引き戸においては、その敷居上に塵埃が溜まり易く、それが戸障子の開閉の障害になり、同様にその撤去が望まれている。
しかしながら、戸障子等の安定的な移動のためには、何らかのガイドが必要であり、このガイドのために床面上にスリット状の溝を設けて戸障子のガイドとし、床面からの突出部をなくすことも考慮されているが、この場合には溝内に溜まった塵埃を取り出すことも困難になる。
【発明の開示】
【発明が解決しようとする課題】
【０００３】
本発明の技術的課題は、上述した引き戸の敷居に相当するものの設置の必要をなくし、引き戸を開いたときに、その開放部分に敷居を含む段差や溝が存在しないようにした引き戸のガイド機構を提供することにある。
本発明の他の技術的課題は、引き戸の開放時に該引き戸の下方からその開放部分に引き戸ガイドが導出されることがなく、常に引き戸の下方に位置して直線的な姿勢を保持することにより、引き戸を所定の開閉位置において直線的にガイドできるようにしたガイド機構を提供することにある。
【課題を解決するための手段】
【０００４】
上記課題を解決するための本発明の引き戸のガイド機構は、引き戸の移動方向に向けた単数または複数の立壁部を有するガイド駒の多数を、立壁部先端側が凹に屈曲可能で、水平面内での屈曲を不能にして相互に連接することにより、引き戸ガイドを構成し、上記引き戸ガイドにおける各ガイド駒の立壁部上縁または立壁部間を直線的に伸びる溝部をガイド条として、該ガイド条に引き戸を載置し、引き戸の移動によって生じる開放部分に該引き戸ガイドが現出しないことを前提として、該引き戸ガイドの一部を引き戸自体またはその移動路の床面に固定すると共に、該引き戸ガイドの少なくとも一端部を上方に屈曲させて上記引き戸または引き戸枠内に導入したことを特徴とするものである。
【０００５】
本発明における引き戸ガイドは、多数のガイド駒を、それらの立壁部の先端部に沿って設けた通孔にワイヤー部材を挿通することにより、立壁部先端側が凹に屈曲可能にして相互に連接し、且つ隣接するガイド駒の連接面が相互に当接して、他の方向への屈曲を抑制するようにして構成し、あるいは、複数の立壁部を間隔を置いて連結部で連結してなるガイド駒の多数を、該連結部においてそれらに挿通したベルト状部材で回転自在に連結することにより構成し、更には、多数のガイド駒を、その立壁部と直交する軸線の周りにおいて回転自在に連結することにより構成することができる。
【０００６】
また、本発明における上記引き戸ガイドは、各ガイド駒の立壁部上縁をガイド条とし、該ガイド条に引き戸を載置してガイドさせ、その際、単一の引き戸ガイドにおける複数のガイド条のそれぞれに引き戸を載置してガイドさせることができ、あるいは、各ガイド駒の隣接する一対の立壁部をガイド条とし、該ガイド条に引き戸を跨乗させてガイドさせ、更には、各ガイド駒の立壁部間の溝部をガイド条とし、該ガイド条に引き戸を嵌入載置してガイドさせることができる。
【０００７】
本発明の好ましい実施形態においては、複数枚の引き戸について、それらの引き戸の移動位置に拘わらず常に少なくとも一つの引き戸が存在する範囲内の移動路において、引き戸ガイドを床面に固定し、該引き戸ガイドの少なくとも一端部を上方に屈曲させて引き戸内に導入される。
この場合に、上方に屈曲させて引き戸内に導入した引き戸ガイドの該導入端に、該引き戸ガイドとは逆の方向に屈曲自在とした上部ガイドを付設し、該上部ガイドの引き戸上端からの導出部分を建物開口部の鴨居に沿わせて、その先端を引き戸枠に固定することができる。
【０００８】
また、本発明の他の好ましい実施形態においては、建物開口部の一方の側枠側のみを開閉する複数枚の引き戸を備え、これらの引き戸を単一の引き戸ガイドに載置して、上記一方の側枠側に移動して該側枠に当接する引き戸における該当接端側に、上記引き戸ガイドの一端を固定し、該引き戸ガイドの他端を上方に屈曲させて閉鎖側の側枠に導入される。
【発明の効果】
【０００９】
以上に詳述した本発明の引き戸のガイド機構によれば、従来の引き戸の敷居に相当するものの設置の必要をなくし、引き戸を開いたときに、その開放部分に敷居を含む段差や溝が存在しないバリヤフリーの構成にすることができる。即ち、引き戸の開閉に伴って該引き戸または引き戸枠内に収納され、引き戸の下方に位置して直線的な姿勢を保持することにより、引き戸を所定の位置において直線的にガイドする引き戸ガイドを備えたガイド機構を得ることができる。しかも、このようなバリヤフリーのための引き戸ガイドを、簡易な構造で安価なものとして提供することができる。
【発明を実施するための最良の形態】
【００１０】
図１乃至図４は、本発明に係る引き戸のガイド機構の第１実施例を示している。この引き戸のガイド機構は、建物開口部の周囲を形成する引き戸枠３内を２枚の引き戸１，２で開閉するようにしたもので、これらの引き戸１，２の上部は上記引き戸枠３の一部を構成する鴨居３Ａでガイドさせているが、該引き戸枠３の下部床面３Ｂには敷居等を設置することなく、該引き戸の下端部は、以下に説明するような引き戸ガイド４によってガイドさせている。
【００１１】
上記該引き戸ガイド４は、図４に示すように、引き戸の移動方向に向けた二つの平行な立壁部６ａを、間隔を置いてそれらの下端の連結部６ｂで連結してなる合成樹脂製のガイド駒６の多数を、該ガイド駒６における上記立壁部６ａの先端部に沿って設けた通孔６ｃにワイヤー部材７ａを挿通することにより相互に連接したものである。従って、上記引き戸ガイド４は、立壁部６ａの先端側が凹になる方向には相互に屈曲可能であり、また、隣接するガイド駒６の連接面６ｄを実質的に平面状にして相互に当接させるので、上記以外の方向への屈曲は抑制されている。引き戸ガイド４におけるこのワイヤー部材７ａの両端部は、引き戸ガイド４に上記屈曲を許容するに必要な若干の余裕を残して、両端のガイド駒６の通孔６ｃから導出した位置で、図示しないストッパーにより抜脱が防止される。
なお、上記ガイド駒６は、合成樹脂製に限るものではなく、金属その他によって形成することができる。
【００１２】
上記引き戸１，２は、この引き戸ガイド４における各ガイド駒６の立壁部６ａの上縁の連なりによって形成されるところの、直線的に伸びる凸壁をガイド条８Ａとし、単一の引き戸ガイド４における複数のガイド条８Ａのそれぞれに引き戸１，２を載置してガイドさせている。
なお、図では二つの立壁部６ａを連結部６ｂにおいて連結し、それによって二つのガイド条８Ａを設けたものを示しているが、更に多数の立壁部６ａにより（図９、図１２参照）必要数のガイド条８Ａを形成することができる。いずれの場合においても、隣接する立壁部６ａの間隔は、原則として隣接する引き戸の中心間距離に等しく形成される。
【００１３】
上記引き戸ガイド４は、引き戸１，２の移動によって生じる開放部分の床面３Ｂに該引き戸ガイド４が現出しないことを前提として床面３Ｂに固定され、具体的には、複数枚の引き戸１，２について、それらの引き戸の移動位置に拘わらず常に少なくとも一つの引き戸が存在する範囲内の移動路に、図示の例では、両引き戸１，２によって建物開口部を閉鎖したときに両引き戸の一部の互いに重なる部分の床面３Ｂに、上記引き戸ガイド４を構成するガイド駒６の一つがビス９で固定されている。
【００１４】
そして、該引き戸ガイド４は、そのガイド条８Ａがそれぞれの引き戸１，２の下端を載置する状態でそれぞれの引き戸の開放端側に導かれ、そこで上方に屈曲させて引き戸内に形成した導入路１ｂ，２ｂ内に導入しているが、この第１実施例では、二つの引き戸１，２を単一の引き戸ガイド４におけるガイド条８Ａによってガイドしているので、上記上方に屈曲した引き戸ガイド４を導入するための引き戸内の導入路１ｂ，２ｂを、それぞれの引き戸１，２の開放端側に設けた拡幅部１ａ，２ａ内に形成している。
上記ガイド条８Ａによる引き戸１，２のガイドは、図示したように、引き戸の下部に内設した戸車１０を該ガイド条８Ａに載置することもできるが、該戸車１０を用いることなく、直接的に、あるいは適宜摺動子を介して載置することができる。
なお、図中、３Ｃ，３Ｄは引違い戸を設置する引き戸枠３の側枠を示している。
【００１５】
このような構成を有する引違い戸においては、それぞれの引き戸を開放したとき、開放した引き戸の下に位置する引き戸ガイド４の端部がそれぞれの引き戸１，２の内部に導入され、そのため、引き戸の開放部分に引き戸ガイド４が存在しないばかりでなく、従来の敷居に相当するものもなく、引違い戸の開放部分におけるバリヤフリーを実現することができる。しかも、引き戸ガイド４は、引き戸１，２の下方に位置して直線的な姿勢を保持するようにしているので、引き戸１，２を、恰も敷居がある場合と同様にガイドし、従って、引き戸を所定の位置において直線的にガイドさせることができる。
【００１６】
上記引き戸ガイド４は、図４においてその一例について示したが、以下に説明するような各種形態のものを採用することができる。
先ず、図５に示す引き戸ガイド４は、図４の実施例の場合と同様に、二つの平行な立壁部６ａを間隔を置いて連結部６ｂで連結してなる合成樹脂製のガイド駒６の多数を、立壁部６ａの先端の両側に設けた相互に嵌合する凹穴７ｂと突子７ｃにより相互に屈曲可能に連接し、且つ隣接するガイド駒６の連接面６ｄを実質的に平面状にして相互に当接させることにより、他の方向への屈曲を抑制するようにしている。
【００１７】
また、図６の（ａ）及び（ｂ）に示す引き戸ガイド４は、図４の実施例と同様に、二つの立壁部６ａを間隔を置いて連結部６ｂで連結してなるガイド駒６の多数を、該連結部６ｂ上の両側における立壁部６ａの下端に設けた係合溝６ｅに可撓性ある合成樹脂製のベルト状部材７ｄを挿通することにより屈曲自在に連結している。同図（ａ）及び（ｂ）に示す引き戸ガイド４の違いは立壁部６ａの形態にあり、同図（ａ）の場合には、立壁部６ａに板状部と隣接するガイド駒６の該板状部が嵌入する隙間を設け、また、同図（ｂ）の場合には、隣接するガイド駒６の立壁部６ａが部分的に相互に重合するような形状に形成している。
【００１８】
更に、図７に示す引き戸ガイド４は、単一の立壁部６ａを有するガイド駒６を、その台部６ｆにおいて上記立壁部６ａと直交する軸線の周りに軸７ｅによって回転自在に連結することにより構成している。単一の立壁部６ａの形態は、図６（ａ）の場合と実質的に同一である。
また、図８の（ａ）〜（ｃ）に示す引き戸ガイド４は、多数のガイド駒６を屈曲自在に連結するに当たり、各ガイド駒６の台部６ｈから立設した立壁部６ａに、連結用割りピン６ｉを突設すると共に隣接するガイド駒６の該割りピン６ｉが回動自在に嵌入係止するピン孔６ｊを設けて、これらを合成樹脂により一体に形成し、上記立壁部６ａには隣接ガイド駒６がほぼ直線状に連接されたときに係止してガイド駒６相互の回転限度を設定する係止部６ｍ，６ｎを設け、上記ピン孔６ｊに嵌入した割りピン６ｉを回転軸として、多数のガイド駒６を屈曲自在に連結している。
【００１９】
上記図５乃至図８の引き戸ガイド４は、いずれの場合も、図４に示す引き戸ガイドと同様に、各ガイド駒６を立壁部６ａ先端側が凹になるように屈曲可能に連接したものであり、また、各ガイド駒６の立壁部６ａの上縁の連なりによって形成されるところの、直線的に伸びる凸壁をガイド条８Ａとして引き戸を載置してガイドさせ、あるいは、後述する実施例のように、各ガイド駒の隣接する一対の立壁部６ａを一つのガイド条として、該ガイド条に引き戸を跨乗させてガイドさせ、更には、各ガイド駒の立壁部間の溝部をガイド条とし、該ガイド条に引き戸を嵌入載置してガイドさせることができるものである。
なお、これらの引き戸ガイド４のその他の構成及び作用は、図４の場合と実質的に同一であるため、それらの説明は省略する。
【００２０】
上述した図４乃至図８の引き戸ガイドは、単一のガイド条を備える図７及び図８の引き戸ガイドを除いて、前記第１実施例の引き戸において用いることができるが、単一の引き戸のみを開閉する場合には、該図７及び図８の引き戸ガイドのように、単一のガイド条を備えたものを用いることができる。更に、図８の引き戸ガイドは、一対の立壁部６ａを間隔を置いて対向配置したものとして、それらを図示のものよりも長くした割りピン６ｉで連結するなどの手段により、二つのガイド条を備えたものとして前記第１実施例の引き戸においても用いることができる。
【００２１】
図９乃至図１１は、本発明に係る引き戸のガイド機構の第２実施例を示し、この引き戸のガイド機構は、建物開口部における引き戸枠３１の一方の側枠３１Ｂ側のみを開閉する複数枚の引き戸を備えたものである。この引き戸のガイド機構は、具体的には、建物開口部を開閉する３枚の引き戸２１，２２，２３を備え、第１実施例と同様に、単一の引き戸ガイド４における各ガイド駒６の立壁部６ａの上縁をガイド条８Ａとしている。
但し、図示の例では、三枚の引き戸に対応させて、各ガイド駒６に三つの立壁部６ａを備え、それらをそれぞれ連結部６ｂにおいて連結している。引き戸ガイド４及びそれを構成するガイド駒６のその他の構成及び作用は、第１実施例と実質的に変わるところがないので、それらの説明は省略する。
【００２２】
そして、この第２実施例では、上記単一の引き戸ガイド４における複数のガイド条８Ａのそれぞれに引き戸２１，２２，２３を載置しているが、上記一方の側枠３１Ｂ側に移動して該側枠３１Ｂに当接する引き戸２１における開放端２４側に、上記引き戸ガイド４の一端を固定し、該引き戸ガイド４は、そのガイド条８Ａがそれぞれの引き戸２１，２２，２３の下端の戸車３０を載置する状態で、それぞれの引き戸２１，２２，２３の他端側に導き、その引き戸ガイド４の他端を上方に屈曲させて、閉鎖側の側枠３１Ａに付設した引き戸ガイド４の導入路３２内に導入している。上記各引き戸２１，２２，２３間には、図１０に示すように、閉戸時におけるそれぞれ引き戸の若干の重なりを確保するための係合部２１ｂ，２２ａ及び２２ｂ，２３ａを設けておくのが望ましい。
なお、必要に応じて上記戸車３０を用い、あるいはそれを用いなくてもよいのは、前記第１実施例と同様である。また、この第２実施例の引き戸ガイドとしては、前記図４乃至図８のいずれのものも用いることができる。
【００２３】
この第２実施例の引き戸のガイド機構においては、建物開口部の引き戸枠３１における一方の側枠３１Ｂ側のみを開閉することができ、即ち、側枠３１Ｂ側の引き戸２１を開放すると、その開放端２４に固定した引き戸ガイド４がその引き戸２１と共に移動し、その際、引き戸ガイド４の他端は側枠３１Ａに付設した引き戸ガイドの導入路３２内に導入される。そのため、引き戸の開放部分には引き戸ガイド４が存在しないばかりでなく、従来の敷居に相当するものもなく、引違い戸の開放部分におけるバリヤフリーを実現することができる。
【００２４】
図１２は本発明の第３実施例を示し、この第３実施例では、上記第２実施例と比べて、上記引き戸ガイド４における各ガイド駒６の二つの立壁部６ａ間を直線的に伸びる溝部をガイド条８Ｂとして、そこに引き戸４１，４２，４３を嵌入載置し、ガイドさせている。そのため、ガイド駒６における立壁部６ａの数は、使用する引き戸の数よりも一つだけ多くなる。この第３実施例の引き違い戸においては、前記図４乃至図６の引き戸ガイド及び図８の引き戸ガイドの立壁部６ａを複数にしたものなどを用いることができる。
なお、この第３実施例のその他の構成は、第２実施例と実質的に同一であるため、第２実施例と同一または相当部分に同一の符号を付してそれらの説明を省略する。
【００２５】
図１３乃至図１５は、本発明の第４実施例を示している。この第４実施例では、上記第１実施例と比べて、上記引き戸ガイド４における各ガイド駒６の隣接する一対の立壁部６ａをガイド条８Ｃとし、該ガイド条８Ｃに引き戸５１，５２を跨乗させてガイドしている。更に具体的に説明すると、前記第１実施例では、二つの立壁部６ａを有する単一の引き戸ガイド４に２枚の引き戸１，２を載置しているが、ここでは、各引き戸５１，５２に、単一のガイド条８Ｃを構成するところのそれぞれ二つの立壁部６ａを有する引き戸ガイド４を用いている。
【００２６】
また、各引き戸ガイド４は、その一端を第１実施例とほぼ同様な位置、即ち、複数の引き戸５１，５２について、それらの引き戸の移動位置に拘わらず常に該引き戸が存在する範囲内の移動路に、図示の例では、両引き戸５１，５２によって建物開口部を閉鎖したときに、各引き戸の中央側端部における床面３Ｂに、引き戸ガイド４の端部に設けた固定部５９を固定している。また、該引き戸ガイド４は、上記固定位置から引き戸の下方に導入し、反対側の引き戸端において該引き戸ガイド４を上方に屈曲させて、その屈曲部分を引き戸５１，５２内に設けた導入路５１ａ，５２ａ内に導入している。
【００２７】
なお、上記引き戸ガイド４は、第１実施例と同様に、引き戸５１，５２の他方側にも延設して、引き戸５１，５２の両端に設けた導入路に導入することもできる。また、ここで説明していない引き戸ガイド４等の構成や作用等は、前述した第１実施例の場合と実質的に相違するところがないので、ここではそれらの説明を省略する。
【００２８】
図１６乃至図１９は、本発明の第５実施例を示している。この第５実施例は、上記第４実施例のガイド機構における引き戸ガイド４に上部ガイド５６を付設し、それによって引き戸５１，５２の上部をもガイドするようにしたものである。
更に具体的に説明すると、上記第４実施例において、引き戸５１，５２の下方において上方に屈曲させて引き戸内の導入路５１ａ，５２ａに導入した引き戸ガイド４の導入側端に、該引き戸ガイド４とは逆の方向に屈曲自在とした上部ガイド５６を付設し、該上部ガイド５６の引き戸上端からの導出部分を、建物開口部の引き戸枠６１における鴨居６１Ａに沿わせて、その先端の固定部６５を側枠６１Ｃ，６１Ｄまたは該鴨居６１Ａに固定するようにしている。
【００２９】
上記上部ガイド５６におけるガイド駒５７は、引き戸ガイド４を構成するガイド駒６と外形的には同一であるが、該引き戸ガイド４のガイド駒６では立壁部６ａの先端部に沿って設けた通孔６ｃにワイヤー部材７ａを挿通することにより相互に連接しているのに対し、上部ガイド５６では、図１７から分かるように、ガイド駒５７の立壁部５７ａの基部に通孔５７ｃを穿設し、上記ワイヤー部材７ａを途中からこの通孔５７ｃに挿通することによって、この上部ガイド５６では上記引き戸ガイド４とは逆の方向に屈曲自在としている。
なお、ここでは上部ガイド５６を連結するワイヤー部材として、引き戸ガイド４のワイヤー部材７ａを利用しているが、上部ガイド５６としては独立に上記方向に屈曲可能にしたものを用いることもできる。
【００３０】
このような構成を有する第５実施例の引き戸のガイド機構では、第４実施例の場合と同様に、それぞれの引き戸５１，５２を開放したとき、開放した引き戸の下に位置する引き戸ガイド４の端部がそれぞれの引き戸５１，５２における導入路５１ａ，５２ａの内部に導入され、そのため、引き戸５１，５２の開放部分に引き戸ガイド４が存在しないばかりでなく、該ネットガイド４が上部ガイド５６を押圧して引き戸５１，５２の上端から押出し、そして該上部ガイド５６の先端は鴨居６１Ａまたは側枠６１Ｃ，６１Ｄに固定しているので、引き戸の上部も該上部ガイド５６によって保持されることになり、引違い戸の開放部分におけるバリヤフリーを実現すると共に、引き戸５１，５２の上部をも安定的にガイドさせることができる。
【００３１】
なお、第５実施例のその他の構成及び作用は、実質的に第１実施例あるいは第４実施例についての説明と変わるところがないので、ここでは、それらの説明を省略する。
【図面の簡単な説明】
【００３２】
【図１】本発明の第１実施例の概要を示す模式的部分破断斜視図である。
【図２】上記第１実施例の水平断面図である。
【図３】上記第１実施例の側断面図である。
【図４】上記第１実施例における引き戸ガイドの構成を示す一部破断斜視図である。
【図５】引き戸ガイドの他の形態を示す斜視図である。
【図６】（ａ）及び（ｂ）は、それぞれベルト状部材で連設した引き戸ガイドの異なる形態を示す斜視図である。
【図７】単一の立壁部を有するガイド駒を回転軸で連結した引き戸ガイドの斜視図である。
【図８】（ａ）〜（ｃ）は、各ガイド駒を連結用割りピンによって回動自在に連結した他の引き戸ガイドの正面図、背面図、及び断面図である。
【図９】本発明の第２実施例の概要を示す模式的部分破断斜視図である。
【図１０】上記第２実施例の水平断面図である。
【図１１】上記第２実施例の部分側断面図である。
【図１２】本発明の第３実施例の概要を示す模式的部分破断斜視図である。
【図１３】本発明の第４実施例の概要を示す模式的部分破断斜視図である。
【図１４】上記第４実施例の水平断面図である。
【図１５】上記第４実施例の部分側断面図である。
【図１６】本発明の第５実施例の概要を示す模式的斜視図である。
【図１７】上記第５実施例の正面図である。
【図１８】上記第５実施例の水平断面図である。
【図１９】上記第５実施例の側断面図である。
【符号の説明】
【００３３】
１，２，２１〜２３，４１〜４３，５１，５２    引き戸
４      引き戸ガイド
６      ガイド駒
６ａ    立壁部
６ｂ    連結部
６ｃ    通孔
６ｄ    連接面
７ａ      ワイヤー部材
７ｄ      ベルト状部材
８Ａ〜８Ｃ    ガイド条
５６      上部ガイド
６１Ａ      鴨居
【図１】
2005155260.tif 000003
【図２】
2005155260.tif 000004
【図３】
2005155260.tif 000005
【図４】
2005155260.tif 000006
【図５】
2005155260.tif 000007
【図６】
2005155260.tif 000008
【図７】
2005155260.tif 000009
【図８】
2005155260.tif 000010
【図９】
2005155260.tif 000011
【図１０】
2005155260.tif 000012
【図１１】
2005155260.tif 000013
【図１２】
2005155260.tif 000014
【図１３】
2005155260.tif 000015
【図１４】
2005155260.tif 000016
【図１５】
2005155260.tif 000017
【図１６】
2005155260.tif 000018
【図１７】
2005155260.tif 000019
【図１８】
2005155260.tif 000020
【図１９】
2005155260.tif 000021